(57)【特許請求の範囲】
【請求項１】
ユーザ毎に割り当てられた記憶領域で前記ユーザ毎の画像を管理する画像管理装置であって、
前記ユーザ毎に割り当てられた記憶領域で管理する画像にアクセス可能な会員アカウントを記憶する会員アカウント記憶手段と、
前記ユーザ毎に割り当てられた記憶領域の中に作成された投稿アルバムに招待された招待者の端末から、前記招待された投稿アルバムでの閲覧を共有する投稿画像を受け付ける画像受付手段と、
前記受け付けた投稿画像を、前記招待された投稿アルバムで表示すべく、前記投稿アルバムを作成したユーザに割り当てられた記憶領域に保存する保存手段と、
前記招待された投稿アルバムにアクセスが可能なアカウントであって、前記投稿アルバムに招待された招待者を識別可能なアカウントを受信するアカウント受信手段と、
前記アカウント受信手段で受信したアカウントが、前記記憶手段が記憶する会員アカウントであるか否かを判定する会員判定手段と、
前記アカウント受信手段の受付けるアカウントを、会員アカウントでないゲストとしてログインするか、会員アカウントでログインするかの選択を、招待者から受け付けるログイン選択受付手段とを備え、
前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする画像管理装置。
【請求項２】
前記投稿アルバムに招待するユーザを識別するためのアカウントの情報を含むメールを、前記投稿アルバムに招待されるユーザに送付するメール送付手段をさらに備えることを特徴とする請求項１に記載の画像管理装置。
【請求項３】
前記投稿アルバムに招待されるユーザを識別可能な前記アカウントをアクセストークンとしてハッシュ化したＵＲＬを作成するアクセスＵＲＬ作成手段をさらに備え、
前記メール送付手段は、前記アクセスＵＲＬ作成手段が作成した前記ＵＲＬを記載したメールを送付することを特徴とする請求項２に記載の画像管理装置。
【請求項４】
前記画像受付手段は、前記ユーザ毎に割り当てられた記憶領域からも、前記投稿画像を受け付け可能であって、
前記保存手段は、前記ユーザ毎に割り当てられた記憶領域から投稿される前記投稿画像を受け付けた場合には、前記受け付けた投稿画像を前記投稿アルバムを作成したユーザに割り当てられた記憶領域に保存し、当該投稿画像を投稿したユーザに割り当てられた記憶領域には新規登録しないことを特徴とする請求項１乃至３のいずれか１項に記載の画像管理装置。
【請求項５】
ユーザ毎に割り当てられた記憶領域で前記ユーザ毎の画像を管理するとともに、前記ユーザ毎に割り当てられた記憶領域で管理する画像にアクセス可能な会員アカウントを記憶する会員アカウント記憶手段を備える画像管理装置の制御方法であって、
前記画像管理装置の画像受付手段が、前記ユーザ毎に割り当てられた記憶領域の中に作成された投稿アルバムに招待された招待者の端末から、前記招待された投稿アルバムでの閲覧を共有する投稿画像を受け付ける画像受付工程と、
前記画像管理装置の保存手段が、前記受け付けた投稿画像を、前記招待された投稿アルバムで表示すべく、前記投稿アルバムを作成したユーザに割り当てられた記憶領域に保存する保存工程と、
前記画像管理装置のアカウント受信手段が、前記招待された投稿アルバムにアクセスが可能なアカウントであって、前記投稿アルバムに招待された招待者を識別可能なアカウントを受信するアカウント受信工程と、
前記画像管理装置の会員判定手段が、前記アカウント受信工程で受信したアカウントが、前記記憶手段が記憶する会員アカウントであるか否かを判定する会員判定工程と、
前記画像管理装置のログイン選択受付手段が、前記アカウント受信工程の受付けるアカウントを、会員アカウントでないゲストとしてログインするか、会員アカウントでログインするかの選択を、招待者から受け付けるログイン選択受付工程とを含み、
前記保存工程は、ログイン選択受付工程で会員アカウントでないゲストとしてログインする選択を受付けた場合には、前記画像受付工程が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定工程により前記アカウント受信工程で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする制御方法。
【請求項６】
ユーザ毎に割り当てられた記憶領域で前記ユーザ毎の画像を管理するとともに前記ユーザ毎に割り当てられた記憶領域で管理する画像にアクセス可能な会員アカウントを記憶する会員アカウント記憶手段を備える画像管理装置で読み取り実行可能なプログラムであって、
前記画像管理装置を、
前記ユーザ毎に割り当てられた記憶領域の中に作成された投稿アルバムに招待された招待者の端末から、前記招待された投稿アルバムでの閲覧を共有する投稿画像を受け付ける画像受付手段と、
前記受け付けた投稿画像を、前記招待された投稿アルバムで表示すべく、前記投稿アルバムを作成したユーザに割り当てられた記憶領域に保存する保存手段と、
前記招待された投稿アルバムにアクセスが可能なアカウントであって、前記投稿アルバムに招待された招待者を識別可能なアカウントを受信するアカウント受信手段と、
前記アカウント受信手段で受信したアカウントが、前記記憶手段が記憶する会員アカウントであるか否かを判定する会員判定手段と、
前記アカウント受信手段の受付けるアカウントを、会員アカウントでないゲストとしてログインするか、会員アカウントでログインするかの選択を、招待者から受け付けるログイン選択受付手段として機能させ、
前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とするプログラム。
【発明の詳細な説明】
【技術分野】
【０００１】
画像管理装置及び制御方法とプログラムに関する。
【背景技術】
【０００２】
近年、フォトアルバムや画像投稿サイトといったような自分のＰＣや携帯端末から画像をアップロードできるＷＥＢサイトが多くなり、さらに互いに友達である画像投稿サイトの会員どうしそれぞれが所有している画像を持ち寄って、お互いの画像を一つの共通アルバムとして画像投稿サイトの中で共有し、お互いに閲覧して楽しむサービスが提供されている。
お互いの画像を一つの共通アルバムとして画像投稿サイトの中で共有し、お互いに閲覧して楽しむ方法としては以下のような技術が開示されている。
【０００３】
先行文献１においては、登録者は画像データをインターネット等の通信環境を用いて接続されたサーバ上に登録して第三者に公開する。サーバは個々の閲覧者のうち誰がアクセスしたかを判別可能な識別子を埋め込んだ閲覧アドレスを発行し招待者へ通知する。招待者は閲覧アドレスを用いてサーバにアクセスして画像データを閲覧できる技術が開示されている。
【先行技術文献】
【特許文献】
【０００４】
【特許文献１】特開２００８−５２４３４号公報
【発明の概要】
【発明が解決しようとする課題】
【０００５】
しかしながらこのような従来技術では、招待者は閲覧アドレスを用いてサーバにアクセスして画像データを閲覧することはできるが、閲覧アドレスが発行され招待されたので、自分の端末に保存されている画像を他人が管理する共有アルバムサイトに投稿したい場合に、画像の投稿とともに、投稿画像を自分自身が管理している画像サイトにも簡単にアップロードすることはできないといった問題がある。
【０００６】
本願発明は、自分の端末に保存されている画像を他人が管理する共有アルバムサイトに投稿する場合に、画像の投稿とともに、投稿画像を自分自身が管理している画像サイトにも簡単にアップロードできる仕組みを提供することができる仕組みを提供することを目的とする。
【課題を解決するための手段】
【０００７】
本願発明は、ユーザ毎に割り当てられた記憶領域で前記ユーザ毎の画像を管理する画像管理装置であって、前記ユーザ毎に割り当てられた記憶領域で管理する画像にアクセス可能な会員アカウントを記憶する会員アカウント記憶手段と、前記ユーザ毎に割り当てられた記憶領域の中に作成された投稿アルバムに招待された招待者の端末から、前記招待された投稿アルバムでの閲覧を共有する投稿画像を受け付ける画像受付手段と、前記受け付けた投稿画像を、前記招待された投稿アルバムで表示すべく、前記投稿アルバムを作成したユーザに割り当てられた記憶領域に保存する保存手段と、前記招待された投稿アルバムにアクセスが可能なアカウントであって、前記投稿アルバムに招待された招待者を識別可能なアカウントを受信するアカウント受信手段と、前記アカウント受信手段で受信したアカウントが、前記記憶手段が記憶する会員アカウントであるか否かを判定する会員判定手段と、前記アカウント受信手段の受付けるアカウントを、会員アカウントでないゲストとしてログインするか、会員アカウントでログインするかの選択を、招待者から受け付けるログイン選択受付手段とを備え、前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする。
【０００８】
また、前記投稿アルバムに招待するユーザを識別するためのアカウントの情報を含むメールを、前記投稿アルバムに招待されるユーザに送付するメール送付手段とをさらに備えることを特徴とする。
また、前記投稿アルバムに招待されるユーザを識別可能な前記アカウントをアクセストークンとしてハッシュ化したＵＲＬを作成するアクセスＵＲＬ作成手段をさらに備え、前記メール送付手段は、前記アクセスＵＲＬ作成手段が作成した前記ＵＲＬを記載したメールを送付することを特徴とする。
【０００９】
また、前記アカウント受信手段の受付けるアカウントを、会員アカウントでないゲストとしてログインするか、会員アカウントでログインするかの選択を、招待者から受け付けるログイン選択受付手段をさらに備え、前記保存手段は、ログイン選択受付手段で会員アカウントでないゲストとしてログインする選択を受付けた場合には、前記画像受付手段が受付けた投稿画像を、前記会員アカウントを持たない投稿者からの投稿された投稿画像として、前記投稿アルバムを作成したユーザに割り当てられた記憶領域に保存し、一方、会員アカウントでログインする選択を受付けた場合であって、前記会員判定手段により前記アカウント受信手段で受信したアカウントが前記会員アカウントであると判定された投稿者からの投稿であった場合には、前記会員アカウントを持つ投稿者から投稿された前記投稿画像として、前記投稿アルバムを作成したユーザに割り当てられた記憶領域に保存するとともに当該投稿画像を投稿したユーザに割り当てられた記憶領域に新規登録することを特徴とする。
また、前記画像受付手段は、前記ユーザ毎に割り当てられた記憶領域からも、前記投稿画像を受け付け可能であって、前記保存手段は、前記ユーザ毎に割り当てられた記憶領域から投稿される前記投稿画像を受け付けた場合には、前記受け付けた投稿画像を前記投稿アルバムを作成したユーザに割り当てられた記憶領域に保存し、当該投稿画像を投稿したユーザに割り当てられた記憶領域には新規登録しないことを特徴とする。
【発明の効果】
【００１０】
本願発明により、自分の端末に保存されている画像を他人が管理する共有アルバムサイトに投稿する場合に、画像の投稿とともに、投稿画像を自分自身が管理している画像サイトにも簡単にアップロードできる仕組みを提供することができる仕組みを提供することが可能となる。
【図面の簡単な説明】
【００１１】
【図１】画像管理システムのシステム構成を示す図である。
【図２】ハードウエア構成を示す図である。
【図３】画像管理装置がクライアント端末に表示指示する画面の１例を示す図である。
【図４】画像管理装置がクライアント端末に表示指示する画面の１例を示す図である。
【図５】画像管理装置がクライアント端末に表示指示する画面の１例を示す図である。
【図６】画像管理装置がクライアント端末に送信するメールの１例を示す図である。
【図７】画像管理装置がクライアント端末に表示指示する画面の１例を示す図である。
【図８】画像管理装置がクライアント端末に表示指示する画面の１例を示す図である。
【図９】画像管理装置がクライアント端末に表示指示する画面の１例を示す図である。
【図１０】画像管理装置がクライアント端末に表示指示する画面の１例を示す図である。
【図１１】画像管理装置がクライアント端末に表示指示する画面の１例を示す図である。
【図１２】画像管理装置がクライアント端末に表示指示する画面の１例を示す図である。
【図１３】画像管理システムのフローチャートを示す図である。
【図１４】画像管理システムのフローチャートを示す図である。
【図１５】画像管理システムのフローチャートを示す図である。
【図１６】画像管理システムのフローチャートを示す図である。
【図１７】画像管理システムのフローチャートを示す図である。
【図１８】画像管理システムのフローチャートを示す図である。
【図１９】管理データを示す図である。
【発明を実施するための形態】
【００１２】
図１を説明する。
図１は、システム構成図である。
【００１３】
１００は画像管理サーバ（画像管理装置）であり、クライアント端末２００と通信可能に接続され、クライアント端末から登録（アップロード）された画像の画像情報を管理するオンラインアルバムのＷＥＢサイトである。
【００１４】
２００、２０１はクライアント端末であり、クライアント端末のＷＥＢブラウザを介して、画像管理サーバ１００のＷＥＢコンテンツ（オンラインアルバム）にアクセスすることができる。
画像管理装置はユーザ毎に割り当てられた記憶領域でユーザ毎の画像を管理する。
図２を説明する。
図２は画像管理サーバ１００、及びクライアント端末２００、２０１のハードウエア構成を示す図である。
図２において、４０１はＣＰＵで、システムバス４０４に接続される各デバイスやコントローラを統括的に制御する。
【００１５】
ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１６】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
４０５は入力コントローラで、キーボード（ＫＢ）４０９や不図示のマウス等のポインティングデバイス等からの入力を制御する。
【００１７】
４０６はビデオコントローラで、表示部４１０への表示を制御する。なお、表示部４１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００１８】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００１９】
４０８は通信Ｉ／Ｆコントローラで、ネットワーク（通信回線）３００を介して外部機器と接続・通信するものであり、ネットワークでの通信制御処理を実行する。例えば、ＴＣＰ／ＩＰを用いた通信等が可能である。
【００２０】
なお、ＣＰＵ４０１は、例えばＲＡＭ４０３内の表示情報用領域へアウトラインフォントの展開（ラスタライズ）処理を実行することにより、ＣＲＴ上での表示を可能としている。また、ＣＰＵ４０１は、ＣＲＴ上の不図示のマウスカーソル等でのユーザ指示を可能とする。
【００２１】
本発明を実現するための後述する各種プログラムは、画像管理サーバ１００の外部メモリ４１１に記録されており、必要に応じてＲＡＭ４０３にロードされることによりＣＰＵ４０１によって実行されるものである。さらに、上記プログラムの実行時に用いられるデータファイル及びデータテーブル等も、外部メモリ４１１または画像管理サーバ１００の記憶手段に格納されており、これらについての詳細な説明も後述する。
図３を説明する。
図３は、Ｓ１０４、Ｓ２１１でクライアント端末２００が表示している、サイトの会員がサイトにログインするための認証画面である。
３０１はサイト会員が既にユーザ登録済みの会員メールアドレスを入力する入力欄である。
３０２は「ログイン」ボタンである。
３０３はサイト会員が既にユーザ登録済みの認証用パスワードを入力する入力欄である。
図４を説明する。
図４は、Ｓ１０８でクライアント端末２００が表示している、投稿アルバムの作成オーナーが見た場合の投稿アルバム画面である。
４０１は「招待する」ボタンである。
４０２は「みんなのフォト」ボタンである。
図５を説明する。
図５は、Ｓ１１２でクライアント端末２００が表示している、招待するメンバーを設定する設定画面である。
５０１は投稿アルバムを作成したオーナーが、作成した投稿アルバムに招待する各招待者の招待メールアドレスを入力する入力欄である。
５０２は「追加」ボタンである。
５０３は投稿アルバムを作成したオーナーが、自分の名前を入力する入力欄である。
図６を説明する。
図６は、Ｓ２０１でクライアント端末２００が表示している招待メールである。
図７を説明する。
図７は、Ｓ２０５でクライアント端末２００が表示している、招待者がサイトに既にログイン中（操作中）ではない場合の投稿参加への入口画面である。
７０１は「ログイン」ボタンである。
７０２は「ゲストとして投稿する」ボタンである。
７０３は招待者が招待メールアドレスを入力する入力欄である。
図８を説明する。
図８は、Ｓ２１５でクライアント端末２００が表示している、招待者が既にサイトの会員である（会員）場合の画像を投稿アルバムに投稿する投稿画面である。
８０１は「ＰＣからアップロード」ボタンである。
８０２は「ストレージから選択」ボタンである。
８０３は「投稿」ボタンである。
図９を説明する。
図９は、Ｓ３０８、Ｓ４１１でクライアント端末２００が表示している、招待者が投稿アルバムに画像の投稿が完了した場合の完了画面である。
９０１は「続けて投稿する」ボタンである。
９０２は「アルバムを見る」ボタンである。
図１０を説明する。
【００２２】
図１０は、Ｓ４０５でクライアント端末２００が表示している、招待者がサイトの会員ではない（非会員）場合の画像を投稿アルバムに投稿する投稿画面である。
１００１は「ＰＣからアップロード」ボタンである。
１００２は「投稿」ボタンである。
図１１を説明する。
図１１は、Ｓ５０３でクライアント端末２００が表示している投稿アルバムに招待された招待者が見た場合のオーナーが作成した投稿アルバム画面である。
１１０１は「投稿する」ボタンである。
図１２を説明する。
【００２３】
図１２は、Ｓ１２４でクライアント端末２００が表示している投稿アルバムの作成オーナーが見ることができる投稿された画像の情報を集計した集計画面である。
１２０３は「このアルバムを見る」ボタンである。
１２０４は「有効」または「無効」を切り替えるボタンである。
図１３を説明する。
【００２４】
図１３は、Ｓ２１８でクライアント端末２００が表示している、招待者がサイトに既にログイン中（操作中）であるが、ログイン中のメールアドレスと招待用メールアドレスが一致せず、会員の認証ができない場合の投稿参加への入口画面である。
【００２５】
逆に招待者がサイトに既にログイン中（操作中）であるが、ログイン中のメールアドレスと招待用メールアドレスが一致し、会員の認証ができた場合はこの投稿参加への入口画面（図１３）は表示されず、なにも入力しないで、投稿する画面（図８）に進むことができる。
１３０１は招待者が招待メールアドレスを入力する入力欄である。
１３０２は「進む」ボタンである。
図１４を説明する。
図１４は、投稿アルバムを新規作成したオーナーによる招待メンバー設定処理の各ステップを示すフローチャートである。
【００２６】
Ｓ１０１ではオーナーの端末で画像投稿サイトにアクセスするために画像投稿サイトのＵＲＬが選択され、画像投稿サイトに会員としてログインするためにログイン情報の入力要求を送信する。
Ｓ１０２ではログイン情報の入力要求を受け付ける。
Ｓ１０３では画面（図３）を表示指示する。
Ｓ１０４ではオーナーの端末では画面（図３）が表示される。
Ｓ１０５ではオーナーの端末でログインボタンが押下される。
【００２７】
Ｓ１０６では（図３の３０１）に入力された会員用メールアドレスを受信し、受信した会員用メールアドレスがサイト会員のメールアドレス一覧（図１９の１９０４）にあるかを検索し、アドレス一覧にある場合には、投稿アルバムを新規作成したオーナーがサイト会員であると判定し、この場合は、Ｓ１０７に進む。また、アドレス一覧にない場合には、オーナーがサイト会員ではないと判定し、この場合は、Ｓ１０３に戻る。
Ｓ１０７では画面（図４）を表示指示する。
Ｓ１０８では投稿アルバムオーナーの端末では画面（図４）が表示される。
Ｓ１０９ではオーナーの端末にて投稿するボタンが押下された場合はＳ１１０に進む。投稿するボタンが押下されなかったらＳ１２０に進む。
【００２８】
Ｓ１１０では（図５の５０４）に示すような、投稿アルバムオーナーに既に招待した（招待メールを送信した）招待者のメールアドレスの一覧を通知するために、既に登録した（招待メールを送信した）招待者のメールアドレスの一覧を投稿アルバムデータから検索する。
Ｓ１１１では画面（図５）を表示指示する。
Ｓ１１２では投稿アルバムオーナーの端末では画面（図５）が表示される。
Ｓ１１３ではオーナーの端末にて招待者の名前、招待者のメールアドレス（図５の５０１）及び投稿アルバムオーナーの名前（図５の５０３）が入力される。
Ｓ１１４ではオーナーの端末にて追加ボタンが押下される。
Ｓ１１５ではオーナーの端末で図５に入力された招待者のメールアドレス（図５の５０１）、投稿アルバムオーナーの名前（図５の５０３）を受信する。
【００２９】
Ｓ１１６では投稿アルバムに誘導するための招待者のメールアドレス（図１９の１９０３）と招待者から画像の投稿を受け付けるアルバム先（図１９の１９０２）を、投稿アルバムデータに対応づけて新規に登録する。
投稿アルバムを作成したユーザの端末から、投稿アルバムに招待する招待者アカウントを受け付ける（招待者アカウント受付手段）。
【００３０】
Ｓ１１７では投稿アルバムデータに登録されている投稿アルバムに誘導するために招待者のメールアドレス毎に個別のＵＲＬ（図１９の１９０１）を付けた、招待者のメールアドレス毎に個別の招待メールを作成する。
投稿アルバムに招待する招待者アカウントをアクセストークンとしてハッシュ化したＵＲＬを作成する（アクセスＵＲＬ作成手段）。
Ｓ１１８では作成した招待メール（図６）を、招待者のメールアドレス（図６の６０２）宛てに送信する。
【００３１】
投稿アルバムに招待するユーザ別に異なる招待者アカウントが記載されたメールを、投稿アルバムに招待されるユーザ別に通知するべく送付する（メール送付手段）。
Ｓ１１９では招待者の端末は送信された招待メールを受信し、招待メンバー設定処理が終了する。
【００３２】
Ｓ１２０ではオーナーの端末にてみんなのフォトボタンが押下された場合はＳ１２１に進む。みんなのフォトボタンボタンが押下されなかったらＳ１０７に戻る。
【００３３】
Ｓ１２１では（図１２の１２０１、１２０２）に示すような、投稿アルバムオーナーに既に招待した（招待メールを送信した）招待者からの投稿画像を集計した一覧を通知するために、投稿画像データから招待者の全てのメールアドレスを検索する。
Ｓ１２２では招待者のメールアドレス毎に投稿された画像と枚数を検索する。
Ｓ１２３では画面（図１２）を表示指示する。
Ｓ１２４では投稿アルバムオーナーの端末では画面（図１２）が表示される。
図１５を説明する。
【００３４】
図１５は、招待メールを受信した招待者が自分の所有する画像を投稿するために、オーナーが作成した投稿アルバムにアクセスするアクセスフロー処理の各ステップを示すフローチャートである。
Ｓ２０１では招待者の端末でメールブラウザを起動しメール（図６）を表示する。
Ｓ２０２では招待者により、メールに記載されている投稿アルバムにアクセスするためのＵＲＬ６０１が押下される
【００３５】
Ｓ２０３では招待者の端末から、メールに記載されたＵＲＬ中ではハッシュ化されている招待者メールアドレス（図１９の１９０３）と、招待されたアルバム先（図１９の１９０２）を受信する。
招待された投稿アルバムにアクセス可能で、投稿アルバムに招待されたユーザ別に設定された招待者アカウントを受信する（招待者アカウント受信手段）。
【００３６】
招待者メールアドレスを受信した招待者の端末と、画像管理装置との間にて、サイトのログインセッションが既に確立しているかいなかを判断する。確立していると判断した場合には、ＡさんがＵＲＬ６０１の押下にともなって、画像管理装置に招待者メールアドレスを送信した時点で、Ａさんがサイトに既にログイン中（ログイン処理済みでサイトを閲覧中）であると判断する。この場合は、Ｃに進む。
【００３７】
確立していない判断した場合には、ＡさんがＵＲＬの押下にともなって、画像管理装置に招待者メールアドレスを送信した時点で、Ａさんはサイトにログインしていない（サイトを閲覧中ではない）であると判断する。この場合は、Ｓ２０４に進む。
Ｓ２０４では画面（図７）を表示指示する。
Ｓ２０５では招待者の端末では画面（図７）が表示される。
【００３８】
Ｓ２０６では招待者の判断により、自分がサイト会員であるかが選択される。自分はサイト会員であるが選択された場合はＳ２０７に進む。自分はサイト会員ではない（ゲストである）が選択された場合はＡに進む。
【００３９】
Ｓ２０７では招待者の判断により、サイトにログインする（会員としてサイト内に入る）かまたはサイトにログインしない（ゲストとしてサイト内に入る）かが選択される。ログインするが選択された場合にはＳ２０８に進む。ログインしないが選択された場合にはＤに進む。
Ｓ２０８では招待者の端末でログインボタン７０１が押下される。
Ｓ２０９ではログイン情報の入力要求を受け付ける。
Ｓ２１０では画面（図３）を表示指示する。
Ｓ２１１では招待者の端末では画面（図３）が表示される。
Ｓ２１２では招待者の端末でログインボタンが押下される。
【００４０】
Ｓ２１３では（図３の３０１）に入力された会員用メールアドレスを受信し、受信した会員用メールアドレスがサイト会員のメールアドレス一覧（図１９の１９０４）にあるかを検索し、アドレス一覧にある場合には、招待者であるＡさんがサイト会員であると判定し、この場合は、Ｓ２１４に進む。また、アドレス一覧にない場合には、Ａさんがサイト会員ではないと判定し、この場合は、Ｓ２１０に戻る。
記憶する会員アカウントを参照し、受信した招待者アカウントに該当する会員アカウントがあるかいなかを判定する（会員判定手段）。
Ｓ２１４では画面（図８）を表示指示する。
Ｓ２１５では招待者の端末では画面（図８）が表示される。
【００４１】
Ｓ２１６では、受信した招待者メールアドレスと同じメールアドレスが現在ログイン中のメールアドレス一覧（図１９の１９０６）にあるかを検索し、アドレス一覧に一致するメールアドレスがある場合には、ＡさんがＵＲＬの押下にともなって、画像管理装置に招待者メールアドレスを送信した時点で、招待者メールアドレスと同一の会員用メールアドレスを使用してサイトに既にログイン中（ログイン処理済みでサイトを閲覧中）であると判断する。この場合はＡさんはＵＲＬ６０１を押下するだけで、画像を投稿する画面（図８）に行くまでに招待者メールアドレスまたは会員用メールアドレスといったログイン情報を何も入力する必要がないまま、Ｓ２１６に進むことが出来る。
【００４２】
また、アドレス一覧に受信した招待者メールアドレスと同じメールアドレスない場合には、ＡさんがＵＲＬ６０１の押下にともなって、画像管理装置に招待者メールアドレスを送信した時点では、Ａさんが招待者メールアドレスとは別に所有している会員用メールアドレスを使用してサイトに既にログイン中（ログイン処理済みでサイトを閲覧中）であると判断する。この場合はＡさんが画像を投稿するために招待者メールアドレス１３０１の入力を促すためにＳ２１７に進む。
Ｓ２１７では画面（図１３）を表示指示する。
Ｓ２１８では招待者の端末では画面（図１３）が表示される。
図１６を説明する。
【００４３】
図１６は、招待メールを受信した招待者が、画像投稿サイトの会員として既に登録済みである場合（つまり、招待メールアドレスが招待者自身が既に登録済みの会員メールアドレスと同一であるため、
【００４４】
受信した招待メールアドレスでも画像投稿サイトに通常ログイン（図３）ができる場合）に、オーナーが所有している投稿アルバムへの画像の投稿処理の各ステップを示すフローチャートである。
【００４５】
Ｓ３０１では招待者の判断によりＰＣから投稿するボタンを押下するかが選択される。ＰＣから投稿するボタンを押下すると選択された場合はＳ３０２に進む。ＰＣから投稿するボタンを押下すると選択されなかった場合はＳ３０９に進む。
Ｓ３０２では招待者の端末で招待者の端末に保存されている投稿画像が選択される。
Ｓ３０３では招待者の端末で投稿ボタンが押下される。
Ｓ３０４では招待者の端末に保存されていた投稿画像を受信する。
【００４６】
ユーザ毎に割り当てられた記憶領域の中に作成された投稿アルバムに招待されたユーザの端末から、招待された投稿アルバムでの閲覧を共有する投稿画像を受け付ける（画像受付手段）。
Ｓ３０５では受信した画像が招待者の会員用ストレージに新規に保存される。
【００４７】
会員判定手段により該当する会員アカウントがあると判定された場合には、受け付けた投稿画像を、投稿手段が保存するとともに、投稿アルバムに招待されたユーザに割り当てられた記憶領域に新規登録する（新規登録手段）。
Ｓ３０６では受信した画像を投稿アルバムに新規に対応づけて登録し保存する。
受け付けた投稿画像を、招待された投稿アルバムで表示すべく、投稿アルバムを作成したユーザに割り当てられた記憶領域に保存する（投稿手段）。
Ｓ３０７では画面（図９）を表示指示する。
Ｓ３０８では招待者の端末では画面（図９）が表示される。
【００４８】
Ｓ３０９ではＰＣから投稿するボタンを押下すると選択されなかったので、招待者の判断により会員用ストレージから選択ボタンの押下が選択され、招待者の端末で招待者の会員用ストレージに既に登録され保存されている投稿画像が選択される。
Ｓ３１０では招待者の端末で投稿ボタンが押下される。
Ｓ３１１では会員用ストレージに既に登録され保存されている投稿画像を複製した画像を投稿アルバムに新規に対応づけて登録し保存する。
図１７を説明する。
【００４９】
図１７は、招待メールを受信した招待者が、画像投稿サイトの会員ではない場合（つまり、受信した招待メールアドレスでは画像投稿サイトには通常ログインはできない場合）に、オーナーが所有している投稿アルバムへの画像の投稿処理の各ステップを示すフローチャートである。
Ｓ４０１では招待者の端末で招待メールアドレスが入力される。
Ｓ４０２では招待者の端末でゲストとして投稿するボタンが押下される
【００５０】
Ｓ４０３では入力された招待メールアドレスを受信し、投稿アルバムと予め対応づけられている招待メールアドレスと一致するかを判断する。一致していると判断した場合はＳ４０４に進む。一致しないと判断された場合には画像投稿処理を終了する。
Ｓ４０４では画面（図１０）を表示指示する。
Ｓ４０５では招待者の端末では画面（図１０）が表示される。
Ｓ４０６では招待者の端末で招待者の端末に保存されている投稿画像が選択される。
Ｓ４０７では招待者の端末で投稿ボタンが押下される。
Ｓ４０８では招待者の端末に保存されていた投稿画像を受信する。
Ｓ４０９では受信した画像を投稿アルバムに新規に対応づけて登録し保存する。
Ｓ４１０では画面（図９）を表示指示する。
Ｓ４１１では招待者の端末では画面（図９）が表示される。
図１８を説明する。
図１８は、招待メールアドレスを受信した招待者が画像を投稿したオーナーの投稿アルバムを閲覧する閲覧処理の各ステップを示すフローチャートである。
Ｓ５０１では招待者の端末でアルバムを見るボタンが押下された場合はＳ５０２に進む。アルバムを見るボタンが押下されなかったらＦに進む。
Ｓ５０２では画面（図１１）を表示指示する。
Ｓ５０３では招待者の端末では画面（図１１）が表示される。
Ｓ５０４では招待者の端末で投稿するボタンが押下された場合はＧに進む。投稿ボタンが押下されなかったらＳ５０２に進む。
Ｓ５０５では招待者の端末で続けて投稿するボタンが押下された場合はＧに進む。続けて投稿するボタンが押下されなかったらＨに進む。
図１９は各種管理データであり、画像管理装置は、各種管理データを外部メモリ４１１に記憶している。
ユーザ毎に割り当てられた記憶領域で管理する画像にアクセス可能な会員アカウントを記憶する（会員アカウント記憶手段）。
【００５１】
また、本願発明におけるプログラムは、図１４〜図１８に示すフローチャートの処理方法をコンピュータが実行可能なプログラムであり、本願発明の記憶媒体は図１４〜図１８の処理方法をコンピュータが実行可能なプログラムとして、外部メモリ４１１に記憶されている。  
【００５２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。  
【００５３】
この場合、記録媒体から読み出されたプログラム自体が本願発明の新規な機能を実現することになり、そのプログラムを記憶した記録媒体は本発明を構成することになる。  
【００５４】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【００５５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。  
【００５６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。  
【００５７】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。  
【００５８】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【００５９】
１００  画像管理装置（画像投稿サイト）
２００  クライアント端末
４０１  ＣＰＵ
４０３  ＲＡＭ
【図１】
0005874630.tif 000002
【図２】
0005874630.tif 000003
【図３】
0005874630.tif 000004
【図４】
0005874630.tif 000005
【図５】
0005874630.tif 000006
【図６】
0005874630.tif 000007
【図７】
0005874630.tif 000008
【図８】
0005874630.tif 000009
【図９】
0005874630.tif 000010
【図１０】
0005874630.tif 000011
【図１１】
0005874630.tif 000012
【図１２】
0005874630.tif 000013
【図１３】
0005874630.tif 000014
【図１４】
0005874630.tif 000015
【図１５】
0005874630.tif 000016
【図１６】
0005874630.tif 000017
【図１７】
0005874630.tif 000018
【図１８】
0005874630.tif 000019
【図１９】
0005874630.tif 000020